(57)【要約】【課題】例えば、登山中においては、霧の発生や天候の急変等不慮の事態か発生すると、登山コースを外れてしまい、重大な事故に繋がる恐れがある。【解決手段】通信ネットワークを介して地図データベースにアクセスし、予定コースの位置情報をダウンロードする。また、ＧＰＳ信号を受信して現在位置情報を取得する。そして、ＧＰＳ信号により得られた現在位置情報とダウンロードした予定コースの位置情報との差を演算し、演算した差と予め設定された設定値とを比較し、比較結果に基づいて現在位置情報と予定コースの位置情報との差が設定値を越えた時に予定コースを外れたことを示すアラームを発生する。【選択図】　　　　　図４
2004053522.tif 000002
【特許請求の範囲】
【請求項１】
通信ネットワークを介して地図データベースにアクセスし、選択された予定コースの位置情報を取得する手段と、前記取得手段で取得した予定コースの位置情報を記憶する手段と、ＧＰＳ信号を受信して現在位置情報を取得する手段と、前記現在位置情報と前記予定コースの位置情報との差を演算する手段と、前記演算手段で演算した差と予め設定された設定値とを比較する手段と、前記比較手段の比較結果に基づいて現在位置情報と予定コースの位置情報との差が前記設定値を越えた時に予定コースを外れたことを示すアラームを発生する手段とを備えたことを特徴とする携帯情報端末。
【請求項２】
前記現在位置と予定コースの位置情報との差が前記設定値を越えた時に予め登録された場所に緊急事態を通知する手段を有することを特徴とする請求項１に記載の携帯情報端末。
【請求項３】
前記通知手段は、現在の位置情報を同時に通知することを特徴とする請求項２に記載の携帯情報端末。
【請求項４】
前記アラーム発生手段は、アラーム音又は発光点滅によりコースが外れたことを報知することを特徴とする請求項１〜３に記載の携帯情報端末。
【請求項５】
前記通信ネットワークは、インターネットネットワークであることを特徴とする請求項１〜３に記載の携帯情報端末。
【請求項６】
前記携帯情報端末は、携帯電話機であることを特徴とする請求項１〜５に記載の携帯情報端末。
【請求項７】
請求項１〜６のいずれか１項に記載の携帯情報端末と、地図情報を格納した地図データベースを含み、前記携帯情報端末と通信ネットワークを介して通信可能なダウンロードセンターとを有する位置検知システムであって、前記ダウンロードセンターは、前記携帯情報端末からの要求に応じて前記地図データベースの地図情報を携帯情報端末にダウンロードし、且つ、前記携帯情報端末から予定コースを外れた時に異常事態を示すアラーム発生及び現在位置情報が送信された場合には、現在位置情報を表示することを特徴とする位置検知システム。
【発明の詳細な説明】
【０００１】
【発明の属する技術分野】
本発明は、現在位置が予定コースを外れた時にアラームを発生する携帯情報端末、特に、登山やハイキング或いは旅行等に好適な携帯情報端末及びそれを用いた位置検知システムに関するものである。
【０００２】
【従来の技術】
従来、登山をする場合、地図やコンパスを用いて予定の登山道を辿るのが一般的である。特に、近年において中高年の登山がブームとなっており、登山の経験が少ない登山者が増加する傾向にある。
【０００３】
【発明が解決しようとする課題】
ところで、登山中においては、霧の発生や天候の急変等不慮の事態か発生することがよくある。このような場合には、登山コースを外れてしまい、特に、経験の浅い登山者においては重大な事故に繋がる恐れがあった。また、登山中に思いがけない病気や怪我等が発生することがあった。
【０００４】
本発明は、上記従来の事情に鑑みなされたもので、その目的は、予定コースを外れた時にアラームを発生することにより、不測の事態を未然に防止可能な携帯情報端末及びそれを用いた位置検知システムを提供することにある。
【０００５】
【課題を解決するための手段】
本発明の携帯情報端末は、上記目的を達成するため、通信ネットワークを介して地図データベースにアクセスし、選択された予定コースの位置情報を取得する手段と、前記取得手段で取得した予定コースの位置情報を記憶する手段と、ＧＰＳ信号を受信して現在位置情報を取得する手段と、前記現在位置情報と前記予定コースの位置情報との差を演算する手段と、前記演算手段で演算した差と予め設定された設定値とを比較する手段と、前記比較手段の比較結果に基づいて現在位置情報と予定コースの位置情報との差が前記設定値を越えた時に予定コースを外れたことを示すアラームを発生する手段とを備えたことを特徴とする。
【０００６】
また、本発明の位置検知システムは、上記目的を達成するため、上記携帯情報端末と、地図情報を格納した地図データベースを含み、前記携帯情報端末と通信ネットワークを介して通信可能なダウンロードセンターとを有する位置検知システムであって、前記ダウンロードセンターは、前記携帯情報端末からの要求に応じて前記地図データベースの地図情報を携帯情報端末にダウンロードし、且つ、前記携帯情報端末から予定コースを外れた時に異常事態を示すアラーム発生及び現在位置情報が送信された場合には、現在位置情報を表示することを特徴とする。
【０００７】
【発明の実施の形態】
次に、本発明の実施の形態について図面を参照して詳細に説明する。本発明は、例えば、登山、ハイキング或いは旅行等において、予め進む予定コースを設定し、ＧＰＳ（グローバルポジショニングシステム）により得られた現在の位置情報と設定した予定コースとの差を演算する。そして、その差が設定値より大きい時にアラームを発生して予定コースから外れたことを報知することにより、使用者が道を間違った場合等の不測の事態でも、未然に事故を防止するものである。
【０００８】
図１は本発明の携帯情報端末を用いたシステムの概略構成を示すブロック図である。図１において、２０は本発明による携帯情報端末、３０はインターネットネットワーク、４０はＧＰＳシステム用の人工衛星である。また、５０は地図情報やコース情報等を格納した地図データベースを有するダウンロードセンターである。携帯情報端末２０とダウンロードセンター５０はインターネットネットワーク３０によって接続され、双方の間で情報の送受信を行うことができる。
【０００９】
携帯情報端末２０はダウンロードセンター５０の地図データベースから所望の地図データ等をダウンロードすることができる。また、携帯情報端末２０は人工衛星４０からの電波を受信することができる。なお、携帯情報端末２０としては、それ専用の携帯情報端末であっても良いし、或いは携帯電話機やＰＨＳ等に本発明の機能を搭載して予定コースから外れた時にアラームを発生しても良い。ここでは、携帯電話機やＰＨＳに本発明の機能を搭載しているものとする。
【００１０】
図２は携帯情報端末２０とダウンロードセンター５０の概略構成を示す図である。ダウンロードセンター５０は、インターネット接続機構５１、ダウンロード機構５２、地図データベース５３等を含んでいる。地図データベース５３からは、図３に示すように山名のデータ、その山名に関する全てのコースの名のデータ、コースの位置情報、登山口からの標準時間、距離がわかるデータをダウンロードすることができる。ここで、現在位置が分かれば、登山口からの標準所要時間（標準コースタイム）や距離から目的地までのおおよその残り所要時間や残り距離がわかる。
【００１１】
携帯情報端末２０は、通常の携帯電話機やＰＨＳとしての機能の他に、インターネット接続機構２１、人工衛星４０からの電波を受信して現在位置を得るためのＧＰＳ機能２２、キーボード（操作キー）２３、表示画面２４、アラーム機能２５、演算処理部２６、記憶部２７等を含んでいる。なお、キーボード２３や表示画面２４は携帯電話機やＰＨＳに搭載されている機構である。
【００１２】
次に、本実施形態の動作を図４のフローチャートを参照して詳細に説明する。まず、事前に携帯情報端末２０からインターネットネットワーク３０を介してダウンロードセンター５０の地図データベース５３にアクセスする（ステップ４０１）。この時、例えば、目的の山に関する情報を検索して、その山に関する情報（全コース名、その位置情報、時間、距離等）を、地図データベース５３からダウンロードし、携帯情報端末２０の記憶部２７に取り込む（ステップ４０１）。
【００１３】
次いで、使用者は取り込んだ情報から１つのコースに関する情報（コース名とその位置情報）を選択し、予定コースとして設定する（ステップ４０１）。この予定コースの位置情報は記憶部２７に記憶しておく。また、同時に必要があれば、アラーム設定値の変更を行う（ステップ４０２）。このアラーム設定値は、予定コースから外れた場合の基準となる設定距離を示すものであり、現在位置が予定コースから設定距離以上外れた時にアラームを発生するものである。
【００１４】
次に、実際に山に登る場合には、コース情報をダウンロードした携帯情報端末２０を持参する。ここで、登山を開始すると、携帯情報端末２０のＧＰＳ機能２２は衛星４０からの電波を受信し、一定時間毎に現在位置情報を作成する（ステップ４０３）。また、演算処理部２６では、事前に設定した予定コースの位置情報とＧＰＳ現在位置情報との差を演算する（ステップ４０４）。即ち、現在位置情報と現在位置に対応する予定コースの位置情報（現在位置に最も近いコース位置情報）との誤差を演算する。
【００１５】
次いで、演算処理部２６では、演算結果とアラーム設定値の比較を行い（ステップ４０５）、演算結果がアラーム設定値より大であれば、現在位置が予定コースから設定値以上外れているので、アラーム機能２５はアラーム音、ランプの点滅等でアラーム表示を行う（ステップ４０６）。登山中においてはこのステップ４０３〜ステップ４０６の処理を繰り返し行い、予定コースから設定値以上外れた時にはアラームを発生する。
【００１６】
このように予定コースを辿っている時はアラームは発生せず、もし何らかの理由で予定コースから外れると、アラームを発生するので使用者は予定コースから外れていることを認識でき、元の予定コースに戻ることができる。
【００１７】
なお、アラーム発生時に携帯情報端末２０からインターネット３０を介してダウンロードセンター５０にアラーム発生と現在位置情報を通知することも可能である。この場合、ダウンロードセンター５０において表示装置上に現在位置情報を表示することで、救助を派遣する等の緊急事態に迅速に対応することが可能である。また、携帯情報端末の現在位置が分かるので、登山口からのその時々の位置における時間、距離に基づいてその時々の目的地までのおおよその残り時間や距離が分かる。
【００１８】
【発明の効果】
以上説明したように本発明によれば、登山やハイキング或いは旅行等の途中で道に迷う事がなくなり、より安全性を向上することができる。また、例えば、冬山登山、濃い霧の場合等コースを目で確認出来ない場合でも、決まった予定コースを辿ることができ、より安全な登山を行うことができる。
【００１９】
更に、もし途中で不幸にして怪我等で動けなくなった場合には、ＧＰＳ現在位置情報をダウンロードセンターに送り、ダウンロードセンターで現在位置を確認することにより、より迅速な救助が可能になる。更に、現在の位置情報が判かれば残りの予想時間、残り距離等の情報を簡単に入手出来る。
【図面の簡単な説明】
【図１】本発明の携帯情報端末を用いた位置検知システムの概略構成を示す図である。
【図２】本発明の携帯情報端末、ダウンロードセンターの概略構成を示す図である。
【図３】地図データベースの内容を示す図である。
【図４】本発明の携帯情報端末の動作を示すフローチャートである。
【符号の説明】
２０　携帯情報端末
２１　インターネット接続機構
２２　ＧＰＳ機能
２３　キーボード
２４　表示画面
２５　アラーム機能
２６　演算処理部
２７　記憶部
３０　インターネットネットワーク
４０　ＧＰＳ用人工衛星
５０　ダウンロードセンター
５１　インターネット接続機構
５２　ダウンロード機構
５３　地図データベース
【図１】
2004053522.tif 000003
【図２】
2004053522.tif 000004
【図３】
2004053522.tif 000005
【図４】
2004053522.tif 000006